(57)【要約】【課題】  より正確に分析を行うことが可能な分析装置を提供すること。【解決手段】  分析用具Ａは、分析用具８がｘ方向に挿入される挿入部１２を有する筐体１と、筐体１に取り付けられ、かつｚ方向における一方側に向けて分析に関する情報を表示する表示部５１と、を備えており、筐体１は、ｚ方向における他方側において使用者の把持を誘導する把持部１１をさらに有しており、把持部１１を避けた位置においてｚ方向における他方側に筐体１から露出する露出部を有する温度検出部４をさらに備える。【選択図】  図４
2015161626.tif 000002
【特許請求の範囲】
【請求項１】
分析用具が第一方向に挿入される挿入部を有する筐体と、
前記筐体に取り付けられ、かつ前記第一方向に対して交差する第二方向における一方側に向けて分析に関する情報を表示する表示部と、を備えており、
前記筐体は、前記第二方向における他方側において使用者の把持を誘導する把持部をさらに有しており、
前記把持部を避けた位置において前記第二方向における他方側に前記筐体から露出する露出部を有する温度検出部をさらに備える、分析装置。
【請求項２】
前記温度検出部は、前記第一方向において前記挿入部と前記把持部との間に配置されている、請求項１に記載の分析装置。
【請求項３】
前記温度検出部の前記露出部は、前記筐体のうち前記露出部を取り囲む部分である周囲部よりも前記第二方向一方側に配置されている、請求項１または２に記載の分析装置。
【請求項４】
光学的手法によって情報を読み取る情報読み取り部をさらに備えており、
前記情報読み取り部は、前記第一方向における前記挿入部と同じ側において前記筐体に設けられている、請求項１ないし３のいずれかに記載の分析装置。
【請求項５】
前記温度検出部は、温度センサと熱伝導体とからなり、
前記露出部は、前記熱伝導体の外面であり、
前記温度センサは、前記熱伝導体に対して前記外面とは反対側の内面に取り付けられている、請求項１ないし４のいずれかに記載の分析装置。
【請求項６】
前記筐体には、前記熱伝導体との接触面積を低減させる空隙部が形成されている、請求項５に記載の分析装置。
【請求項７】
前記筐体は、前記熱伝導体よりも熱伝導率が小さい、請求項５または６に記載の分析装置。
【発明の詳細な説明】
【技術分野】
【０００１】
本発明は、生体由来の検体を対象とした分析装置に関する。
【背景技術】
【０００２】
生体由来の検体を対象とした分析は、人間をはじめとする生体の健康を維持する手段として広く実施されている。図１２は、このような分析装置の一例が開示されている（特許文献１参照）。同図に示された分析装置Ｘは、人体から採取した血液を検体として血糖値を得るための分析を行う。分析装置Ｘは、筐体９１を有しており、分析に関する情報を表示する表示部９２が筐体９１に設けられている。筐体９１の一端には、分析部９３が取り付けられている。分析部９３は、筒体に受発光部９３ａおよび温度センサ９３ｂを収容された構成である。受発光部９３ａは、光学的手法によって分析チップ９４の試薬（図示略）に点着された検体を分析する部位である。前記筒体には、受発光部９３ａからの光および分析チップ９４によって反射された光を通すための開口が設けられている。温度センサ９３ｂは、外気温を推定するためのものである。
【０００３】
検体が分析チップ９４の前記試薬と反応する場の温度は、外気温に大きく左右される。これに対し、この外気温を推定するための温度センサ９３ｂは、分析部９３の前記筒体内部に収容されている。このため、温度センサ９３ｂが外気温を正確に検出し得ない事態が懸念される。たとえば、分析装置Ｘが長時間において使用者に握られていた、あるいは使用者の衣服のポケットに収められていた、などの場合、分析装置Ｘ全体が使用者の体温程度に温められる。一方、分析チップ９４は、外気温とほぼ同じ温度である状態で、検体が点着され分析部９３に取り付けられることが想定される。このような場合、検体が前記試薬と反応する場の温度は、外気温とほぼ等しいと想定されるものの、温度センサ９３ｂによる検出温度は使用者の体温に近いものとなってしまう。かかる事態は、分析結果の正確さを損なうおそれがある。
【先行技術文献】
【特許文献】
【０００４】
【特許文献１】特許第５２７０５０１号公報
【発明の概要】
【発明が解決しようとする課題】
【０００５】
本発明は、上記した事情のもとで考え出されたものであって、正確に分析を行うことが可能な分析装置を提供することをその課題とする。
【課題を解決するための手段】
【０００６】
本発明によって提供される分析装置は、分析用具が第一方向に挿入される挿入部を有する筐体と、前記筐体に取り付けられ、かつ前記第一方向に対して交差する第二方向における一方側に向けて分析に関する情報を表示する表示部と、を備えており、前記筐体は、前記第二方向における他方側において使用者の把持を誘導する把持部をさらに有しており、前記把持部を避けた位置において前記第二方向における他方側に前記筐体から露出する露出部を有する温度検出部をさらに備える。
【０００７】
本発明の好ましい実施の形態においては、前記温度検出部は、前記第一方向において前記挿入部と前記把持部との間に配置されている。
【０００８】
本発明の好ましい実施の形態においては、前記温度検出部の前記露出部は、前記筐体のうち前記露出部を取り囲む部分である周囲部よりも前記第二方向一方側に配置されている。
【０００９】
本発明の好ましい実施の形態においては、光学的手法によって情報を読み取る情報読み取り部をさらに備えており、前記情報読み取り部は、前記第一方向における前記挿入部と同じ側において前記筐体に設けられている。
【００１０】
本発明の好ましい実施の形態においては、前記温度検出部は、温度センサと熱伝導体とからなり、前記露出部は、前記熱伝導体の外面であり、前記温度センサは、前記熱伝導体に対して前記外面とは反対側の内面に取り付けられている。
【００１１】
本発明の好ましい実施の形態においては、前記筐体には、前記熱伝導体との接触面積を低減させる空隙部が形成されている。
【００１２】
本発明の好ましい実施の形態においては、前記筐体は、前記熱伝導体よりも熱伝導率が小さい。
【発明の効果】
【００１３】
本発明の一態様によれば、前記温度検出部は、外部に露出する前記露出部を有している。この露出部は、前記把持部を避けた位置に設けられている。このため、使用者の体温による影響を抑制し、外気温をより正確に検出することが可能である。したがって、より正確な分析を行うことができる。また、前記温度検出部は、前記第二方向他方側に露出している。このため、前記温度検出部が設けられたことによって前記分析用具の挿入が阻害されるなどのおそれが少ないという利点がある。また、前記温度検出部は、前記表示部とは反対側に露出している。このため、前記温度検出部を設けつつ、前記表示部の表示面積を十分に確保することができる。
【００１４】
本発明のその他の特徴および利点は、添付図面を参照して以下に行う詳細な説明によって、より明らかとなろう。
【図面の簡単な説明】
【００１５】
【図１】本発明に係る分析装置の一例を示す斜視図である。
【図２】本発明に係る分析装置の一例を示す斜視図である。
【図３】本発明に係る分析装置の一例を示す斜視図である。
【図４】図３のＩＶ−ＩＶ線に沿う断面図である。
【図５】図３のＩＶ−ＩＶ線に沿う要部拡大断面図である。
【図６】本発明に係る分析装置の一例を示す要部拡大平面図である。
【図７】本発明に係る分析装置の一例を示すブロック構成図である。
【図８】本発明に係る分析装置の変形例を示す斜視図である。
【図９】本発明に係る分析装置の他の変形例を示す斜視図である。
【図１０】本発明に係る分析装置の他の変形例を示す斜視図である。
【図１１】本発明に係る分析装置の他の変形例を示す斜視図である。
【図１２】従来の分析装置の一例を示す平面図である。
【発明を実施するための形態】
【００１６】
以下、本発明の好ましい実施の形態につき、図面を参照して具体的に説明する。
【００１７】
図１〜図７は、本発明に係る分析装置の一例を示している。本実施形態の分析装置Ａは、筐体１、分析部２、バーコード読み取り部３、温度検出部４、表示部５１、操作ボタン５２、ＵＳＢポート５３、ＲＦＩＤ通信部５４、電源部５５、制御部６および記憶部７を備えている。分析装置Ａは、生体由来の検体を対象とした分析を行うものであり、本実施形態においては、分析用具８が装填され、この分析用具８に検体としての血液が点着されることにより、血糖値を分析する構成であること例として以下に説明する。なお、これらの図において、ｘ方向が本発明で言う第一方向に相当し、ｚ方向が本発明で言う第二方向に相当する。なお、第一方向であるｘ方向と第二方向であるｚ方向とが直角である構成は、本発明の一例である。第一方向と第二方向とは、互いに直角である関係に限定されず、互いに交差する方向、すなわち互いに異なる方向であればよい。
【００１８】
筐体１は、医療従事者などの使用者が手にとって分析作業を行える程度の大きさおよび形に形成されており、たとえば樹脂からなる。筐体１は、分析部２バーコード読み取り部３、温度検出部４、表示部５１、操作ボタン５２、ＵＳＢポート５３、ＲＦＩＤ通信部５４、電源部５５、制御部６および記憶部７を収容している。筐体１は、把持部１１、挿入部１２、ガイド部１３、開口１４、周囲部１５および複数の空隙部１６を有している。
【００１９】
把持部１１は、ｙ方向において表示部５１とは反対側に位置しており、使用者の把持を誘導する部位である。本実施形態においては、把持部１１は、筐体１のｘ方向両端寄り部分を除く中央寄りの比較的広い部分が、ｙ方向に凹んだ態様とされている。また、把持部１１は、ｚｘ平面における断面形状がほぼ一定である。
【００２０】
挿入部１２は、分析用具８がｘ方向に挿入される部位である。本実施形態においては、挿入部１２は、ｘ方向に向いて開口しており、分析用具８の形状に対応したｙ方向を長手方向とするｘ方向視長矩形状である。ガイド部１３は、挿入部１２への分析用具８の挿入を誘導するためのものである。ガイド部１３は、挿入部１２のｚ方向直下に隣接して設けられており、ｘ方向に突出している。ガイド部１３は、ｘ方向視において挿入部１２の長辺に沿った細長い形状とされている。
【００２１】
開口１４は、温度検出部４の一部を露出部として筐体１の外部に露出させるために設けられている。開口１４は、ｙ方向において表示部５１とは反対側に配置されている。また、開口１４は、ｘ方向において把持部１１と挿入部１２との間に位置している。本実施形態においては、開口１４は、矩形状とされている。周囲部１５は、開口１４を取り囲む部分である。すなわち、周囲部１５は、温度検出部４のうち開口１４から露出する前記露出部を取り囲んでいる。
【００２２】
複数の空隙部１６は、後述するように筐体１と温度検出部４との接触面積を低減させるために設けられている。
【００２３】
分析部２は、たとえば血液、尿、汗などの生体由来の検体を対象とした分析処理を行う。本実施形態においては、分析部２が、患者から採取された血液を検体とした血糖値測定を行う場合を例に説明する。なお、血液を検体とした場合の分析としては、血糖値測定以外にたとえば尿酸値測定などが挙げられる。分析部２は、筐体１の挿入部１２に対してｘ方向奥方に配置されている。また、分析部２は、電極部２１を有している。分析用具８は、たとえば電極８１および点着部８２を有している。電極８１は、分析部２の電極部２１と接触することにより、分析部２と導通する部分である。点着部８２は、検体としての血液が点着される部分である。さらに分析用具８は、電極８１と点着部８２とを接続する配線を有している。また、分析用具８には、試薬（図示略）が設けられている。この試薬の一態様としては、点着部８２に設けられた態様が挙げられる。血糖値測定を行う場合、前記試薬は、たとえば酵素であるグルコースオキシターゼと電子受容体としてのフェリシアン化カリウムなどからなる。このような構成により、分析部２は、分析用具８に点着された血液を検体として、公知の手法により血糖値測定処理を行う。なお、分析装置Ａにおいては、分析用具８が挿入部１２に挿入され、その後に点着部８２に検体としての血液が点着される。このため、分析用具８の電極８１は、筐体１内に完全に収容されるものの、点着部８２は、筐体１から突出する構成とされている。
【００２４】
バーコード読み取り部３は、本発明で言う情報読み取り部の一例に相当する。分析装置Ａは、前記分析部２による分析処理に付随し、かつ複数の属性のいずれかに帰属するデータが入力される。前記複数の属性を例示すると、医療従事者を識別する分析者ＩＤ、患者を識別する患者ＩＤ、前記分析用部を識別する分析用具ＩＤ、前記分析処理のための精度管理に用いられる精度管理物質を識別する精度管理物質ＩＤ、および個々の分析処理を識別する分析処理ＩＤが挙げられる。そして、本実施形態においては、これらのデータの入力が、バーコード読み取り部３によってなされる。すなわち、入力されるべきデータがカード、リストバンド、梱包箱、紙などの媒体に印刷されたバーコードとして与えられ、バーコード読み取り部３がこれらのバーコードを読み取る。ここで言うバーコードとしては、縞模様状の複数の線によって構成される一次元バーコードや、縦横に配列された複数のドットによって構成される二次元コードが代表例として挙げられる。
【００２５】
バーコード読み取り部３は、たとえば、発光部、受光部およびドライバＩＣを備える。前記発光部は、読取りのための光を出射するものであり、たとえば赤色光を含む線状光を出射する。前記受光部は、バーコードが付された前記媒体によって反射された反射光を受光するものであり、複数の受光素子が列状またはマトリクス状に配置された構成とされている。前記ドライバＩＣは、前記受光部からの出力信号に基づいて、バーコードを認識するための画像データを形成する。あるいは、前記ドライバＩＣは、前記画像データを画像解析することにより、バーコードに変換されていたデータをデジタル数値データとして出力する構成であってもよい。また、この数値化機能は、制御部６が担ってもよい。
【００２６】
バーコード読み取り部３は、ｘ方向において挿入部１２と同じ側に設けられている。また、バーコード読み取り部３は、ｚ方向において挿入部１２に対して表示部５１とは反対側、すなわち把持部１１側に配置されている。より具体的には、バーコード読み取り部３は、筐体１に設けられた透光部を含んでいる。この透光部は、上述した読み取り用の出射光および前記媒体から反射された光を透過させるこのような構成により、バーコード読み取り部３は、筐体１に対してｘ方向に置かれた前記媒体に付された情報を読み取る。なお、バーコードを読み取る作業を容易化することを目的として、バーコード読み取り部３が若干斜め下方に向く構成としてもよい。
【００２７】
温度検出部４は、温度を検出するものであり、特に外気温をより正確に検出することが意図された構成である。本実施形態においては、温度検出部４は、温度センサ４１および熱伝導体４２を有している。温度センサ４１は、温度検出機能を果たす電子部品であり、たとえば熱電対、サーミスタ、測温抵抗体などが挙げられる。熱伝導体４２は、外気温を温度センサ４１に伝達する機能を果たすものである。熱伝導体４２は、ステンレス、鉄、銅、およびこれらを主成分とする合金などの金属からなる。本実施形態においては、熱伝導体４２は、矩形状の板材である。このような構成の熱伝導体４２に対して筐体１が一般的な樹脂からなる場合、筐体１は、熱伝導体４２筐体１よりも熱伝導率が小さい材質からなるといえる。
【００２８】
図５および図６によく表れるように、熱伝導体４２は、接着または樹脂成形におけるインサート成形などの手段によって筐体１に固定されている。熱伝導体４２は、外面４３および内面４４を有している。外面４３は、分析装置Ａの外部に向く面であり、内面４４は、外面４３とは反対側において分析装置Ａの内部に向く面である。熱伝導体４２は、開口１４から外面４３を露出させるように筐体１に固定されている。これにより、本実施形態においては、温度センサ４１の外面４３すべてが、温度検出部４の露出部とされている。なお、熱伝導体４２の一部が筐体１に食い込まされた構成においては、外面４３の一部が前記露出部となる。
【００２９】
また、図５によく表れているように、熱伝導体４２の外面４３は、ｚ方向において筐体１の周囲部１５に対して図中上方側、すなわち表示部５１が位置する側に位置している。このため、分析装置Ａにおいては、筐体１の周囲部１５から温度検出部４の外面４３が凹んだ態様となっている。
【００３０】
温度検出部４の内面４４には、温度センサ４１が固定されている。温度センサ４１の固定は、たとえば接着による。図６に示すように、筐体１には４つの空隙部１６が形成されている。これらの空隙部１６は、温度センサ４１を取り囲むように配置されている。各空隙部１６からは、温度検出部４の内面４４が分析装置Ａの内部側に露出している。このように、４つの空隙部１６が設けられている分だけ、温度検出部４の内面４４と筐体１との接触面積が低減されている。また、４つの空隙部１６を区画するために、筐体１には枠状の部分が形成されている。この枠状部分は、温度センサ４１の取り付け位置を特定する機能を果たしている。
【００３１】
表示部５１は、使用者に視覚的に情報を提供するものであり、たとえばマトリクス状に配置された複数の画素を有する液晶ディスプレイや有機ＥＬディスプレイなどが好適に用いられる。
【００３２】
操作ボタン５２は、使用者（分析者）が分析装置Ａの動作に対して意思決定を与えるための操作に供する部位である。本実施形態においては、操作ボタン５２は、たとえば方向ボタン５２ａ、方向ボタン５２ｂおよび決定ボタン５２ｃによって構成されている。方向ボタン５２ａおよび方向ボタン５２ｂは、表示部５１において左および右を示唆する操作を行うためのものである。決定ボタン５２ｃは、表示部５１の表示によって示唆された動作や処理を許可する操作を行うためのものである。
【００３３】
ＵＳＢポート５３およびＲＦＩＤ通信部５４は、分析装置Ａと他の機器とのインターフェースを担う部位である。他の機器としては、たとえば病院や診療所に設置されたより大型かつ多機能の統合測定ステーションやＰＣなどが挙げられる。ＵＳＢポート５３は、ＵＳＢ規格に準拠した有線データ通信を実現するためのポートである。ＲＦＩＤ通信部５４は、電磁波を利用した無線の近距離データ通信を実現するためのものである。ＲＦＩＤ通信部５４は、たとえばコイルアンテナやドライバＩＣなどを具備している。
【００３４】
電源部５５は、分析装置Ａの動作を実現するための電力を供給する。電源部５５は、たとえば充電可能なリチウムイオン電池によって構成される。また、電源部５５を乾電池あるいはＡＣ電源接続部によって構成してもよい。
【００３５】
制御部６は、分析装置Ａの動作を制御するためのものであり、典型的にはＣＰＵからなる。制御部６は、記憶部７に記憶されたプログラムに基づいて分析部２、バーコード読み取り部３、温度検出部４、表示部５１、ＵＳＢポート５３およびＲＦＩＤ通信部５４の動作を制御する。また、制御部６は、操作ボタン５２からの入力信号を受ける。なお、本実施形態においては、制御部６が分析装置Ａの主な動作を制御する前提で、以降の説明を行うが、本発明はこれに限定されない。本実施形態において制御部６が行う機能を、分析部２、バーコード読み取り部３、温度検出部４、表示部５１などの各部に備えられた別のＣＰＵなどが実行する構成であってもよい。
【００３６】
記憶部７は、プログラム領域７１およびデータ領域７２を有しており、たとえばシリコンメモリからなる揮発性メモリや不揮発性メモリが適宜採用される。プログラム領域７１は、分析装置Ａの動作を実現するプログラムを記憶する領域である。データ領域７２は、分析に付随するデータを記憶するものである。
【００３７】
本実施形態においては、温度センサ４１からの出力に基いて、制御部６が温度を算出する。この検出温度は、記憶部７のデータ領域７２に記憶される。制御部６は、分析部２を用いた分析処理において、データ領域７２から前記検出温度を読み出し、分析処理における温度補正などに用いる。
【００３８】
次に、分析装置Ａを用いた分析の一例について以下に説明する。
【００３９】
分析装置Ａを用いた分析の一例においては、分析処理に先立ってデータ入力処理が行われる。このデータ入力処理は、制御部６がプログラム領域７１に格納されたプログラムに基づいて、分析処理に必要なデータ、あるいは分析データに付随すべきデータの入力を、バーコード読み取り部３を用いて実行する。たとえば、分析者ＩＤ、患者ＩＤ、分析用具ＩＤなどが挙げられる。前記入力データ処理においては、媒体に付されたバーコードなどをバーコード読み取り部３によって読み取る。この際、バーコードを読み取る作業を誘導するガイダンスを表示部５１に表示させてもよい。制御部６は、バーコード読み取り部３によって読み取られたデータを記憶部７のデータ領域７２に記憶させる。
【００４０】
必要とされるデータが入力されると、制御部６は、プログラム領域７１に格納されたプログラムに基づいて、分析処理を実行する。分析者は、分析用具８を挿入部１２に挿入し、分析用具８の点着部８２に検体としての血液を点着する。この際、制御部６は、データ領域７２に格納されたガイダンスのための画像などを表示部５１に表示してもよい。分析部２は、分析用具８に点着された血液の血糖値を分析する。また、制御部６は、温度検出部４による温度検出を実行し、その検出温度から外気温を推定する。そして、この検出温度に基づいて、分析結果である血糖値を所定の手法により補正を行う。以上の処理により、分析結果として血糖値が得られる。制御部６は、この血糖値を分析者ＩＤ、患者ＩＤ、分析用具ＩＤなどの付随するデータとともに記憶部７のデータ領域７２に記憶させる。この際、温度検出部４による検出温度を血糖値に付随するデータとして、記憶部７のデータ領域７２に格納してもよい。以上により、分析装置Ａによる分析が完了する。
【００４１】
次に、分析装置Ａの作用について以下に述べる。
【００４２】
本実施形態によれば、温度検出部４は、外部に露出する露出部としての外面４３を有している。この露出部は、筐体１の把持部１１を避けた位置に設けられている。このため、使用者の体温による影響を抑制し、外気温をより正確に検出することが可能である。したがって、分析装置Ａによれば、より正確な分析を行うことができる。また、温度検出部４は、分析用具８が挿入される方向であるｘ方向とは交差する方向であるｚ方向に露出している。このため、温度検出部４が設けられたことによって分析用具８の挿入が阻害されるなどのおそれが少ないという利点がある。また、温度検出部４は、表示部５１とは反対側に露出している。このため、温度検出部４を設けつつ、表示部５１の表示面積を十分に確保することができる。
【００４３】
図３および図４に示すように、温度検出部４がｘ方向において把持部１１と挿入部１２との間に設けられていることにより、分析用具８が挿入される挿入部１２の近傍における外気温をより正確に検出することができる。
【００４４】
図５に示すように、温度検出部４の露出部である外面４３は、把持部１１の周囲部１５に対してｚ方向に凹んだ位置に設けられている。これにより、把持部１１を把持する使用者の手が意図せず温度検出部４に重なる位置に及んでも、使用者の手が露出部である外面４３に直接触れることを回避することが可能である。したがって、温度検出部４による温度検出結果に使用者の体温が影響を及ぼすことを防止するのに適している。
【００４５】
図２および図４に示すように、バーコード読み取り部３は、挿入部１２に隣接する位置において、ｘ方向に光を出射することにより情報を読み取る。これにより、使用者は、分析処理における分析用具８の挿入や検体の点着と、分析処理に先立つバーコードからの情報の読み取りとを、同じ方向の同じ側で行うことができ、便利である。また、温度検出部４を設けつつ、バーコード読み取り部３のためのスペースをｘ方向に面する部分に十分に確保することができる。
【００４６】
熱伝導体４２の外面４３が露出部として外部に露出し、熱伝導体４２の内面４４に温度センサ４１が取り付けられている。外面４３が露出していることにより、熱伝導体４２の温度は、外気温により忠実に追従することが期待できる。また、内面４４に取り付けられた温度センサ４１は、熱伝導体４２の温度をより確実に検出することが可能である。したがって、このような構成は、温度検出部４がより正確に外気温を検出するのに好ましい。
【００４７】
筐体１が熱伝導体４２の材質よりも熱伝導率が小さい材質によって形成されていることにより、把持部１１を把持する使用者の体温が筐体１を介して熱伝導体４２に伝わることを抑制することができる。これに加えて、熱伝導体４２の温度を外気温により速やかに追従させることができる。
【００４８】
図６に示すように、筐体１に空隙部１６が設けられていることにより、筐体１と熱伝導体４２との接触面積が減少されている。これにより、使用者の体温が筐体１を介して熱伝導体４２に伝えられることをより確実に抑制することができる。また、たとえば外気温が顕著に異なる場所に分析装置Ａが持ち込まれた場合、熱伝導率が相対的に小さい筐体１の温度は、外気温の変化に追従しにくい。本実施形態によれば、筐体１と熱伝導体４２との接触面積が減少されていることにより、熱伝導体４２の温度が外気温に追従することを筐体１との接触によって妨げられることを抑制可能である。したがって、熱伝導体４２の温度を外気温により速やかに追従させるのに適している。
【００４９】
図８〜図１１は、分析装置Ａの複数の変形例を示している。これらの図においては、図１〜図７に示した分析装置Ａと同一または類似の要素には、上記実施形態と同一の符号を付しており、説明を適宜省略する。なお、図１〜図７に示した例と、図８〜図１１に示す複数の変形例とは、それぞれの部分的な構成を互いに組み合わせることが可能であることは当然である。
【００５０】
図８に示す変形例においては、温度検出部４の外面４３が筐体１の周囲部１５に対して凹んだ位置に設けられておらず、外面４３と筐体１の周囲部１５とが面一の関係となっている。図５に示した例のように、外面４３が周囲部１５に対して凹んでいる構成は、使用者の体温が熱伝導体４２に伝わることを防止するのに好適である。そして、本例においても、温度検出部４が把持部１１を避けた位置に設けられていることから、使用者の体温が熱伝導体４２に伝わることをある程度抑制する効果が得られる。
【００５１】
図９は、筐体１に空隙部１６と認識できる部位が設けられていない例である。ただし、熱伝導体４２の内面４４のほとんとが、筐体１の内部側に露出している。このため、このような構成によっても、筐体１を介して使用者の体温が熱伝導体４２に伝わることを抑制することができる。温度センサ４１の取り付けにおける位置決めは、図示しない別体の位置決め用具を用いたり、熱伝導体４２の内面４４に位置決め用のマークを付しておくなどの手法によって適切に行うことが可能である。
【００５２】
図１０および図１１に示す変形例は、図１〜図７に示した例に対して開口１４の形状が異なっている。図１０に示す例においては、開口１４が楕円形状とされている。このため、温度検出部４の熱伝導体４２の外面４３は、楕円形状領域が露出している。図１１に示す例においては、開口１４が略三角形状とされている。このため、温度検出部４の熱伝導体４２の外面４３は、略三角形状領域が露出している。
【００５３】
本発明に係る分析装置は、上述した実施形態に限定されるものではない。本発明に係る分析装置の各部の具体的な構成は、種々に設計変更自在である。
【符号の説明】
【００５４】
Ａ      分析装置
１      筐体
１１      把持部
１２      挿入部
１３      ガイド部
１４      開口
１５      周囲部
１６      空隙部
２      分析部
２１      電極部
３      バーコード読み取り部
４      温度検出部
４１      温度センサ
４２      熱伝導体
４３      外面
４４      内面
５１      表示部
５２      操作ボタン
５２ａ，５２ｂ      方向ボタン
５２ｃ      決定ボタン
５３      ＵＳＢポート
５４      ＲＦＩＤ通信部
５５      電源部
６      制御部
７      記憶部
７１      プログラム領域
７２      データ領域
８      分析用具
８１      電極
８２      点着部
【図１】
2015161626.tif 000003
【図２】
2015161626.tif 000004
【図３】
2015161626.tif 000005
【図４】
2015161626.tif 000006
【図５】
2015161626.tif 000007
【図６】
2015161626.tif 000008
【図７】
2015161626.tif 000009
【図８】
2015161626.tif 000010
【図９】
2015161626.tif 000011
【図１０】
2015161626.tif 000012
【図１１】
2015161626.tif 000013
【図１２】
2015161626.tif 000014